(57)【要約】【課題】受信した画像情報を紙面に形成すると共に、該当画像に関する説明や、案内等の音声情報を再生し聞くことができるようにした情報処理システム等を提供する。【解決手段】情報処理システム１０１は、送信側の画像形成装置１００、受信側の画像形成装置１００、インターネット３０を備える。画像処理する際に、送信側の画像形成装置１００では画像情報を取得すると共に、当該画像に属する音声情報を取得し、取得した画像及び音声情報を合成処理して電子情報内容を作成し、インターネット３０を介して送信する。送信側の画像形成装置１００では転送されてきた電子情報内容を受信して画像及び音声情報を分離処理した後に画像情報を所定の紙に形成すると共に、紙出力された画像情報に関して要求に応じて音声情報を再生する。これにより、受信した画像情報を紙面に形成すると共に、該当画像に関する説明や、案内等の音声情報を再生し聞くことができる。【選択図】　　　　図１
2004048575.tif 000002
【特許請求の範囲】
【請求項１】
画像形成出力可能な画像情報及び当該画像情報に付加された音声情報を処理するシステムであって、
相手方へデータ通信するための画像情報を取得すると共に、当該画像に属する音声情報を取得し、前記画像及び音声情報を合成処理して電子情報内容を作成する情報処理装置と、
前記情報処理装置から電子情報内容を受信して前記画像及び音声情報を分離処理し、前記画像情報を所定の紙に画像形成すると共に、紙出力された前記画像情報に関して要求に応じて前記音声情報を再生する画像形成装置と、
前記情報処理装置と画像形成装置とを接続する通信手段とを備えることを特徴とする情報処理システム。
【請求項２】
任意の画像情報に基づいて画像を形成する装置であって、
相手方へデータ通信するための画像情報を取得する画像読取手段と、
前記画像読取手段により取得された当該画像に付加するための音声情報を取得する音声取得手段と、
前記画像読取手段により取得された画像情報及び前記音声取得手段により取得された音声情報を合成処理して電子情報内容を作成する第１の情報処理手段と、前記第１の情報処理手段により合成された電子情報内容を相手方へ送信し、及び相手方からの電子情報内容を受信する通信手段と、
前記通信手段により受信された電子情報内容から画像及び音声情報を分離処理する第２の情報処理手段と、
前記第２の情報処理手段により処理された画像情報を所定の紙に画像形成する画像形成手段と、
前記画像形成手段により紙出力された前記画像情報に関して要求に応じて前記音声情報を再生する音声再生手段とを備え、
画像形成出力可能な画像情報及び当該画像情報に付加された音声情報を再生処理することを特徴とする画像形成装置。
【請求項３】
画像形成出力可能な画像情報及び当該画像情報に付加された音声情報を処理する方法であって、
情報送信系では情報受信系となる相手方へデータ通信するための画像情報を取得すると共に、当該画像に属する音声情報を取得し、
前記画像及び音声情報を合成処理して電子情報内容を作成し、
前記情報送信系と情報受信系とを通信手段を介して接続し、
前記情報受信系では前記電子情報内容を受信して前記画像及び音声情報を分離処理した後に前記画像情報を所定の紙に画像形成すると共に、紙出力された前記画像情報に関して要求に応じて前記音声情報を再生することを特徴とする情報処理方法。
【発明の詳細な説明】
【０００１】
【発明の属する技術分野】
この発明は、電子写真方式を用いた複写機能を有する複写機、複合機、ファクシミリ装置等に適用して好適な情報処理システム、画像形成装置及び情報処理方法に関するものである。
【０００２】
【従来の技術】
近年、情報化時代の到来によって、ファクシミリ装置の利用が活発化しており、オフィスにおける情報伝送メディアとして不可欠なものとなっている。オフィスにおいて利用されているビジネス用のファクシミリ装置は、基本機能のほかに、操作性向上や高機能化（メモリ機能，ネットワーク機能等）といった、高付加価値化が図られている。
【０００３】
オフィスにおいて利用されているビジネス用のファクシミリ装置としては、複写機、複合機といった画像形成装置が用いられている。この種の電子写真方式を用いたファクシミリ機能を有する複写機、複合機等画像処理装置は、画像読取部、画像処理部、画像形成部および送受信部を備えている。
【０００４】
このような画像処理装置は、静止画（以下、画像という）の画像データを送信する場合、例えばファクシミリ送信の場合、まず、画像読取部で原稿の画像を読み取り、そして、画像処理部で読み取った画像データをファクシミリ画像信号に変換して、電話回線を介して他の画像形成装置に送信する。他の画像形成装置が電話回線を介して画像データを受信し、受信した画像信号に基づいて、用紙に画像を形成するようになされる。
【０００５】
【発明が解決しようとする課題】
ところで、従来方式のファクシミリ機能を有する画像形成装置を用いて画像情報を送信するとき、送信する画像に対して説明したい場合がある。例えば待ち合わせ場所の地図を送信するとき、それに対して説明しようとする場合、ファクシミリ送信を行った後、相手に電話をかけて説明することしかできない。このとき、相手がいないと説明できないという不都合があった。しかも電話料金がかかる問題点があった。
【０００６】
そこで、この発明は上述した課題を解決したものであって、受信した画像情報を紙面に形成すると共に、該当画像に関する説明や、案内等を送信者の肉声等により直接、何度も再生し聞くことができるようにした情報処理システム、画像形成装置および情報処理方法を提供することを目的とする。
【０００７】
【課題を解決するための手段】
上記課題を解決するために、本発明に係る情報処理システムは、画像形成出力可能な画像情報及び当該画像情報に付加された音声情報を処理するシステムであって、相手方へデータ通信するための画像情報を取得すると共に、当該画像に属する音声情報を取得し、画像及び音声情報を合成処理して電子情報内容を作成する情報処理装置と、情報処理装置から電子情報内容を受信して画像及び音声情報を分離処理し、画像情報を所定の紙に画像形成すると共に、紙出力された画像情報に関して要求に応じて音声情報を再生する画像形成装置と、情報処理装置と画像形成装置とを接続する通信手段とを備えることを特徴とするものである。
【０００８】
本発明に係る情報処理システムによれば、情報処理装置と画像形成装置とが通信手段により接続され、情報送信系では情報処理装置によって、相手方へデータ通信するための画像情報が取得されると共に、当該画像に属する音声情報が取得され、この画像及び音声情報を合成処理して電子情報内容が作成される。情報受信系である画像形成装置では、情報処理装置から電子情報内容が受信されて画像及び音声情報に分離処理され、この画像情報が所定の紙に画像形成されると共に、紙出力された画像情報に関して要求に応じて音声情報が再生される。
【０００９】
これによって、情報受信系では紙出力された画像情報に関して、紙面に形成された画像に関する説明や、案内等を送信者の肉声等により直接、何度も再生し聞くことが可能となる。従って、当該情報処理システムを複写機、ファクシミリ装置及び、これらを応用した複合機をインターネットや、電話回線等により接続したネット配信サービスに十分応用することが可能となる。
【００１０】
また、本発明に係る画像形成装置は、任意の画像情報に基づいて画像を形成する装置であって、相手方へデータ通信するための画像情報を取得する画像読取手段と、画像読取手段により取得された当該画像に付加するための音声情報を取得する音声取得手段と、画像読取手段により取得された画像情報及び音声取得手段により取得された音声情報を合成処理して電子情報内容を作成する第１の情報処理手段と、相手方から電子情報内容を受信する通信手段と、通信手段により受信された電子情報内容から画像及び音声情報を分離処理する第２の情報処理手段と、第２の情報処理手段により処理された画像情報を所定の紙に画像形成する画像形成手段と、画像形成手段により紙出力された画像情報に関して要求に応じて音声情報を再生する音声再生手段とを備え、画像形成出力可能な画像情報及び当該画像情報に付加された音声情報を再生処理することを特徴とするものである。
【００１１】
本発明に係る画像形成装置によれば、相手方から受信した電子情報内容が画像及び音声情報に分離され、分離された画像情報が所定の紙に画像形成され、この紙出力された画像情報に関して要求に応じて相手方から送られてきた音声情報が再生される。
【００１２】
これによって、画像形成出力可能な画像情報及び当該画像情報に付加された音声情報を再生処理することができる。従って、情報受信系では紙出力された画像情報に関して、紙面に形成された画像に関する説明や、案内等を送信者の肉声等により直接、何度も再生し聞くことが可能となる。これにより、当該画像形成装置を複写機、ファクシミリ装置及び、これらを応用した複合機に十分応用することが可能となる。
【００１３】
本発明に係る情報処理方法は、画像形成出力可能な画像情報及び当該画像情報に付加された音声情報を処理する方法であって、情報送信系では情報受信系となる相手方へデータ通信するための画像情報を取得すると共に、当該画像に属する音声情報を取得し、画像及び音声情報を合成処理して電子情報内容を作成し、情報送信系と情報受信系とを通信手段を介して接続し、情報受信系では電子情報内容を受信して画像及び音声情報を分離処理した後に画像情報を所定の紙に画像形成すると共に、紙出力された画像情報に関して要求に応じて音声情報を再生することを特徴とするものである。
【００１４】
本発明に係る情報処理方法によれば、情報受信系では紙出力された画像情報に関して、紙面に形成された画像に関する説明や、案内等を送信者の肉声等により直接、何度も再生し聞くことができる。従って、当該情報処理方法を複写機、ファクシミリ装置及び、これらを応用した複合機をインターネットや、電話回線等により接続したネット配信サービスに十分応用することが可能となる。
【００１５】
【発明の実施の形態】
以下、図面を参照しながら、この発明の実施の形態としての情報処理システム、画像形成装置および情報処理方法について説明をする。
この実施の形態では、画像情報と音声情報を送信する情報処理装置、画像情報と音声情報を受信してそれぞれ出力する画像形成装置を備え、送信側では情報受信側へデータ通信するための画像情報を取得すると共に、当該画像に属する音声情報を取得し、画像及び音声情報を合成処理して電子情報内容を作成し、受信側では電子情報内容を受信して画像及び音声情報を分離処理した後に画像情報を所定の紙に画像形成すると共に、紙出力された画像情報に関して要求に応じて音声情報を再生するようにして、受信側では紙出力された画像情報に関して、紙面に形成された画像に関する説明や、案内等を送信者の肉声等により直接、何度も再生し聞くことができるようにしたものである。
【００１６】
図１は情報処理システム１０１の構成例を示す図である。この情報処理システム１０１は、送信側の画像形成装置１００（情報処理装置）、受信側の画像形成装置１００、通信手段としてのインターネット３０を備える。図１に示すように、送信側の画像形成装置１００と受信側の画像形成装置１００とをインターネット３０に接続されている。送信側の画像形成装置１００では画像情報を取得すると共に、当該画像に属する音声情報を取得し、画像及び音声情報を合成処理して電子情報内容を作成し、受信側の画像形成装置１００では電子情報内容を受信して画像及び音声情報を分離処理した後に画像情報を所定の紙に画像形成すると共に、紙出力された画像情報に関して要求に応じて音声情報を再生するようになされる。
【００１７】
図２は、本発明に係る実施の形態の画像形成装置１００の構成例を示すブロック図である。図２に示す画像形成装置１００はネットワークに接続可能な、画像情報と音声情報とを同時に送信または受信を行うものであり、電子写真方式を用いた複写機能を有する複写機、複合機、ファクシミリ等に適用して好適である。
【００１８】
画像形成装置１００は、制御部１０、操作部１１、表示部１２、画像読取手段１３、画像処理手段１４、画像記憶手段１５、画像形成手段１６、音声入力手段１７、音声処理手段１８、音声記憶手段１９、音声再生手段２０、通信手段２１を備えている。
【００１９】
制御部１０は、ＣＰＵ１０ａ、ＲＯＭ１０ｂ、ＲＡＭ１０ｃを備えている。ＣＰＵ１０ａはＲＯＭ１０ｂに格納された制御プログラムに従って、ＲＡＭ１０ｃをワークエリアとして使用しながら、画像形成装置１００の全体の動作を制御する。
【００２０】
この制御部１０は、画像読取手段１３と音声入力手段１７で入力された画像データと音声データを処理手段１４および音声処理手段１８で符号化して、所定フォーマットで合成処理する第１の情報処理手段としても機能する。合成された複合データは、例えばデータブロック（パケット）毎に、ヘッダ、画像データ、音声データの順に配列するような構成（図３参照）で、フォーマットされる。ヘッダには該当データブロックに画像データの有無、音声データの有無および画像データと音声データの関連付けなど情報が記述されている。例えば、説明する必要な画像に対してページ毎に対応する説明メッセージ、案内などを付加する場合、音声入力のタイミングに基づいて所定画像データと該当画像データに関連する音声データとを関連付けて合成する。
【００２１】
また、制御部１０は、受信した電子情報内容（画像データと音声データとを含む複合データ）を分離処理する第２の情報処理手段としても機能する。例えば、ネットワークを介して送信側の画像形成装置１００から転送されてきたデータを受信し、このデータのヘッダ部を解読することによって、該当データに画像データまたは音声データの有無を判断する。画像データと音声データを共に有する場合、それらを分離して、それぞれの処理手段へ供給するようになされる。
【００２２】
操作部１１は、例えば液晶表示機能付きのタッチパネルで構成され、片面モードや、両面モード、後処理モード等の設定においてオペレータとの対話を行うインターフェースとして機能する。用紙サイズなども設定される。操作部１１は音声信号の入力または出力の指示を行うことできる。
【００２３】
表示部１２は、画像形成を行うときの設定内容および動作状態を表示するための手段であり、例えば、ＬＣＤ（Ｌｉｑｕｉｄ　Ｃｒｙｓｔａｌ　Ｄｉｓｐｌａｙ）からなる。この表示部１２は、受信した画像データに音声データを含む旨を表示するようになされる。例えば、ユーザが表示部１２で受信するファクシミリ情報に音声情報の有無を確認できる。
【００２４】
画像読取部１３は、原稿画像の読み取りを行う装置である。例えば、原稿を照明光源で照明して、原稿からの反射光をミラー及びレンズからなる光学系でラインＣＣＤからなる撮像素子上に投影して走査読取が行われるようになされる。
【００２５】
画像処理手段１４は、画像読取部１３で読み込んだ画像データを符号化処理する機能を有している。また、ネットワークを介して受信した画像データを復号化処理する機能を有している。
【００２６】
画像記憶手段１５は、画像読取部１３で読み込んだ画像データまたはネットワークを介して受信した画像データを一時的に格納するものである。画像形成手段１６は、画像データに基づいて、用紙に電子写真方式によって画像を形成するようになされる。
【００２７】
音声取得手段として音声入力手段１７および音声データの符号化処理等の機能を有する音声処理手段１８を含む。音声入力手段１７は、例えば、マイクロフォンから構成される。ユーザが送信しようとする画像情報に対して説明するために、マイクロフォンに向かって話すと音声情報を入力される。音声処理手段１８は、音声入力手段１７で入力された音声データを符号化処理する機能を有している。また、ネットワークを介して受信した音声データを復号化処理する機能を有している。
【００２８】
音声記憶手段１９は、音声入力手段１７で入力された音声データまたはネットワークを介して受信した音声データを一時的に格納するものである。音声再生手段２０は、例えば、音声処理手段１８で復号化処理された音声データを増幅等の処理を行い、紙出力された画像情報に関して要求に応じてスピーカより音声信号を再生するようになされる。
【００２９】
通信手段２１は、通信網を介して他の画像形成装置へ情報を送信し、または通信網を介して他の画像形成装置から転送された情報受信するようになされる。ここで、例えば通信網としてインターネットを利用する場合、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）プロトコルが利用される。
【００３０】
続いて、本発明に係る情報処理形成方法について画像形成装置１００の動作例を説明する。画像の送受信を行う情報処理システム１０１は、図１に示すように、送信側の画像形成装置１００、受信側の画像形成装置１００はインターネット３０に接続されている。
【００３１】
まず、送信側の画像形成装置１００の動作例を説明する。図４は送信する際に画像形成装置１００における動作例を示すフローチャートである。
この実施形態では、画像情報とそれに関連する音声情報とを同時に送信する場合、例えば、会社の代理店リストをファクシミリ送信するとき、リストの内容に対して具体的な説明をする場合、リスト原稿の画像を読み取った後に説明内容の音声を音声入力手段１７より取得する。取得した画像データとそれに関連する音声データとを所定フォーマットで合成処理して、電子情報内容（複合データ）を作成し、ネットワークを介して受信側の画像形成装置１００と接続し、複合データを送信する場合を前提とする。
【００３２】
これを前提にして、まず、図４に示すフローチャートのステップＳ１１で、画像入力を行うか否かを判断する。画像を入力する場合には、ステップＳ１２で、画像読取手段１３で原稿の画像（例えば、代理店リスト）の読み取りを行い、そして、読み込んだ画像信号を画像処理手段１４で符号化処理する。なお、ステップＳ１１で、画像入力を行わないと判断された場合、即ち、画像情報の送信をしない場合、ステップＳ１３へ進む。
【００３３】
次に、ステップＳ１３で、音声入力を行うか否かを判断する。音声を入力する場合には、ステップＳ１４で、音声入力手段１７から音声信号を入力する。この例の場合、例えば「○○課長、代理店リストを送ります。最後の三社は今月新規契約の代理店です。東京営業所の田中です。」といた内容をマイクロフォンに向かって話すことにより音声信号を入力する。そして、入力された音声信号を符号化処理する。
【００３４】
次に、ステップＳ１５で、符号化された画像データと符号化された音声データとを所定フォーマット（図３参照）で合成する。なお、ステップＳ１３で、音声入力を行わないと判断された場合、即ち、音声情報の送信をしない場合、ステップＳ１６へ進む。
【００３５】
そして、ステップＳ１６で、送信するか否かを判断する。送信する場合、ステップＳ１７で、インターネットを介して情報受信系、例えば受信側の画像形成装置１００とを接続し、合成された複合データの送信を行う。送信完了後、ステップＳ１８で、送信完了か否かを判断する。送信完了の場合、動作終了する。また、ステップＳ１８で、送信完了していない場合、ステップＳ１１に戻る。上述した動作を繰り返す。
【００３６】
なお、ステップＳ１６で、送信しないと判断される場合、ステップＳ１８へ進む。ステップＳ１８で、送信完了か否かを判断する。送信完了の場合、動作終了する。また、ステップＳ１８で、送信完了していない場合、ステップＳ１１に戻る。上述した動作を繰り返す。
【００３７】
次に、受信側の画像形成装置１００の動作例を説明する。図５は受信する際に画像形成装置１００における動作例を示すフローチャートである。
この実施形態では、画像情報と音声情報とを同時に受信する場合、ネットワークを介して受信された複合データを分離して、得られた画像データを復号化処理した後、画像を用紙上に紙出力し、また、得られた音声データを復号化処理した後、要求に応じて出力する場合を前提とする。
【００３８】
これを前提にして、まず、図５に示すフローチャートのステップＳ２１で、ネットワークを介して送信側の画像形成装置１００から送られてきた画像と音声情報を含むデータを受信する。そして、ステップＳ２２で受信された複合データを画像データと音声データに分離処理する。
【００３９】
次に、ステップＳ２３で、画像データであるか否かを判断する。画像データの場合、ステップＳ２４で、画像データを復号化処理を行う。そして、ステップＳ２５で、復号化処理された画像データを一時的に記憶する。
【００４０】
次に、ステップＳ２６で、音声データであるか否かを判断する。音声データの場合、ステップＳ２７で、音声データを復号化処理を行う。そして、ステップＳ２８で、復号化処理された音声データを一時的に記憶する。
【００４１】
ステップＳ２９で、受信終了か否かを判断する。受信終了した場合、ステップＳ３０で、画像データに基づいて、画像を用紙上に形成し紙出力する。また、ステップＳ３１で、出力指示の有無を判断する。出力指示が有の場合、ステップＳ３２で、音声データに基づいて、音声信号を出力する。この例では、図６に示すような画像と音声が出力される。画像出力の後に音声が出力される。この場合、ユーザが音声情報を聞きたいとき、出力指示を行い、受信した音声情報を何度も聞くことができる。
【００４２】
上述のように、代理店リストの内容についての説明を簡単に伝えることができる。同様に、上述した待ち合わせ場所の地図を送信するとき、それに対して説明しようとする場合にも、音声を入力し、画像情報とを関連付けて送信することにより、受信側では受信した地図を見ながら、それに関する説明の音声情報を聞くことができる。また、他の応用例として、音譜を送信する際に、該当音譜の音声（曲）情報を同時に送信することにより、受信側では、送られてきた音譜はどのような曲であるかを確認できる。
【００４３】
このように、本発明に係る実施形態としての情報処理システム１０１によれば、送信側の画像形成装置１００では相手方（受信側の画像形成装置１００）へデータ通信するための画像情報を取得すると共に、当該画像に属する音声情報を取得し、取得した画像及び音声情報を合成処理して電子情報内容を作成し、インターネット３０を介して送信する。受信側の画像形成装置１００では転送されてきた電子情報内容を受信して画像及び音声情報を分離処理した後に画像情報を所定の紙に形成すると共に、紙出力された画像情報に関して要求に応じて音声情報を再生するようにされる。
【００４４】
これによって、受信側の画像形成装置１００では紙出力された画像情報に関して、紙面に形成された画像に関する説明や、案内等を送信者の肉声等により直接、何度も再生し聞くことができる。例えば、ファクシミリ送信終了後の電話呼び出しによって通話を行うような手間が不要となり、画像情報に関連する音声情報の伝達を適切に且つ効率よく行うことができ、ユーザの使い勝手が向上すると共に、より豊富な情報を伝えることができる。また、通常の電話回線を使用することなく、音声情報を転送することできるため、通信費用の削減ができる。
【００４５】
なお、上述実施の形態においては、画像形成装置１００は、音声入力手段１７、音声再生手段２０を備えたものを示したが、これに限定されるものではない。画像形成装置１００は、音声入力手段１７と音声再生手段２０のうち音声入力手段１７のみを有するものにしてもよい。この場合、音声情報を添付した画像情報を配信する装置として利用できる。例えば、公共性の高い場所に置かれた複写機等の画像形成装置１００でネットワークからの音声データ（または音声と画像データ）を配信することで広告を行い、広告収入を得ることが可能である。ユーザが広告を聞くことにより広告費を還元され、ローコストまたは無料で複写機を使用することが可能となる。また、画像形成装置１００は、音声入力手段１７と音声再生手段２０のうち音声再生手段２０のみを有するものにしてもよい。この場合、音声情報を添付した画像情報を受信する装置として利用できる。
【００４６】
また、上述実施の形態においては、画像情報を入力してから、音声情報を入力する場合について説明したが、これに限定されるものではない。先に音声情報を入力し、その後画像情報を入力するようにしてもよい。また、同時に画像情報と音声情報を入力するようにしてもよい。
【００４７】
また、上述実施の形態においては、画像形成装置１００を用いて画像情報とそれに関連する音声情報とを同時に送受信を行う場合説明したが、画像形成装置１００の故障等の状態を示す状態データと音声情報とを同時に送受信するようにしてもよい。例えば、画像形成装置１００とサポートセンターにある管理サーバとの間に、インターネットを介して画像形成装置１００内部のセンサにより取得した画像形成装置１００の状態データと、音声入力手段１７より入力された音声情報と送受信を行う場合、サポートセンター側は通常の電話回線を使用する必要がなく、画像形成装置１００の状態データを確認しながらＩＰ電話（インターネット電話）機能で音声によるサポートを行うことができる。従って、ローコストできめも細かいサポートセンターの対応が可能となる。
【００４８】
【発明の効果】
以上説明したように、本発明に係る情報処理システムによれば、情報処理装置と画像形成装置とが通信手段により接続され、情報送信系では情報処理装置によって、相手方へデータ通信するための画像情報を取得すると共に、当該画像に属する音声情報を取得し、この画像及び音声情報を合成処理して電子情報内容が作成される。情報受信系である画像形成装置では、情報処理装置から電子情報内容を受信して画像及び音声情報を分離処理し、この画像情報を所定の紙に画像形成すると共に、紙出力された画像情報に関して要求に応じて音声情報を再生するよになされる。
【００４９】
この構成によって、情報受信系では紙出力された画像情報に関して、紙面に形成された画像に関する説明や、案内等を送信者の肉声等により直接、何度も再生し聞くことができる。従って、当該情報処理システムを複写機、ファクシミリ装置及び、これらを応用した複合機をインターネットや、電話回線等により接続したネット配信サービスに十分応用することができる。
【００５０】
また、本発明に係る画像形成装置によれば、任意の画像情報に基づいて画像を形成する場合に音声情報を再生する音声再生手段を備え、相手方から受信した電子情報内容から分離した画像情報が所定の紙に画像形成され、この紙出力された画像情報に関して要求に応じて相手方から送られてきた音声情報を再生するようになされる。
【００５１】
この構成によって、画像形成出力可能な画像情報及び当該画像情報に付加された音声情報を再生処理することができる。従って、情報受信系では紙出力された画像情報に関して、紙面に形成された画像に関する説明や、案内等を送信者の肉声等により直接、何度も再生し聞くことができる。これにより、当該画像形成装置を複写機、ファクシミリ装置及び、これらを応用した複合機に十分応用することができる。
【００５２】
本発明に係る情報処理方法によれば、画像形成出力可能な画像情報及び当該画像情報に付加された音声情報を処理する場合に、情報送信系では情報受信系となる相手方へデータ通信するための画像情報を取得すると共に、当該画像に属する音声情報を取得し、この画像及び音声情報を合成処理して電子情報内容を作成し、この情報送信系と情報受信系とを通信手段を介して接続し、情報受信系では電子情報内容を受信して画像及び音声情報を分離処理した後に画像情報を所定の紙に画像形成すると共に、紙出力された画像情報に関して要求に応じて音声情報を再生するようになされる。
【００５３】
この構成によって、情報受信系では紙出力された画像情報に関して、紙面に形成された画像に関する説明や、案内等を送信者の肉声等により直接、何度も再生し聞くことができる。従って、当該情報処理方法を複写機、ファクシミリ装置及び、これらを応用した複合機をインターネットや、電話回線等により接続したネット配信サービスに十分応用することができる。
【００５４】
この発明は、ネットワークに接続され、ファクシミリ機能を有する画像形成装置の複合情報の送受信に適用して極めて好適である。
【図面の簡単な説明】
【図１】実施の形態としての情報処理システム１０１の構成例を示す図である。
【図２】実施の形態としての画像形成装置１００の構成例を示すブロック図である。
【図３】複合データのフォーマット例を示す図である。
【図４】画像形成装置１００の送信時の動作例を示すフローチャートである。
【図５】画像形成装置１００の受信時の動作例を示すフローチャートである。
【図６】画像形成装置１００の出力例を示す説明図である。
【符号の説明】
１０　制御部（第１，第２情報処理手段）
１１　操作部
１２　表示部
１３　画像読取手段
１４　画像処理手段
１５　画像記憶手段
１６　画像形成手段
１７　音声入力手段
１８　音声処理手段
１９　音声記憶手段
２０　音声再生手段
２１　通信手段
３０　インターネット（通信手段）
１００　画像形成装置（情報処理装置）
１０１　情報処理システム
【図１】
2004048575.tif 000003
【図２】
2004048575.tif 000004
【図３】
2004048575.tif 000005
【図４】
2004048575.tif 000006
【図５】
2004048575.tif 000007
【図６】
2004048575.tif 000008